(57)【要約】【課題】連結金具によるストラップの細巾紐が損傷を受けて切断したり、ストラップの引っ掛け絡み切れやカメラのストラップからの落下を防止し得るカメラストラップ用連結金具及びカメラストラップを提供することを目的とする。【解決手段】カメラ１を吊り下げるストラップの両端に取り付けられたストラップ用連結金具において、連結金具２０，４０が金属棒によるＤ字状又は三角形状環状部を形成し、この金属棒の互いに向き合う端部の軸芯にコイル状のスプリング部材３０を挿通してなるストラップ用連結金具であり、連結金具２０，４０がスプリング部材３０を介してストラップに連結されているカメラストラップである。【選択図】    図１
2004237011.tif 000002
【特許請求の範囲】
【請求項１】
カメラを吊り下げるストラップの両端に取り付けられたストラップ用連結金具において、
該連結金具が金属棒によるＤ字状又は三角形状環状部が形成され、該金属棒の互いに向き合う端部の軸芯にコイル状のスプリング部材が挿通されたことを特徴とするカメラストラップ用連結金具。
【請求項２】
前記Ｄ字状又は三角形状環状部を形成する金属棒を８の字状に交差させて環状連結部を設けたことを特徴とする請求項１に記載のカメラ用ストラップ。
【請求項３】
請求項１又は２に記載のカメラ用ストラップ連結金具をカメラストラップの細巾紐に設けたことを特徴とするカメラストラップ。
【発明の詳細な説明】
【０００１】
【発明の属する技術分野】
本発明は、カメラを吊り下げるストラップ用の連結金具に関し、連結金具によるストラップの損傷や絡みを防止することができるカメラストラップ用連結金具及びカメラストラップに関するものである。
【０００２】
【従来の技術】
近年、カメラストラップには、皮革製からナイロン編織の細巾紐が使用されている。そのストラップの両端には、カメラの吊り金具に連結するＤ字状や三角形状の連結金具が装着されている。従来のカメラストラップについて、図３を参照して説明する。図３（ａ）はカメラの吊り金具にストラップを取り付けた概略図を示し、同図（ｂ）はＤ字状連結金具であり、同図（ｃ）は三角形状連結金具を示している。
【０００３】
図３（ａ）において、ストラップの細巾紐２には、ストラップの細巾紐２に滑り止め部２ａが設けられ、細巾紐２の両端にカメラ１の吊り金具１ａに接続する連結金具３が設けられ、それらの端部が連結金具３の環状部に挿通されて締め具２ｂにより締め付けられて、細巾紐２の長さを自在に調整し得るようになされている。連結金具３としては、同図（ｂ），（ｃ）に示すＤ字状連結金具３ａや三角形状連結金具３ｂのものが使用されている。
【０００４】
【発明が解決しようとする課題】
従来のカメラストラップの連結金具では、図３（ｂ），（ｃ）に示したように、Ｄ字状連結金具３ａと三角形状連結金具３ｂが使用され、これらの連結金具３は、金属棒を環状に折り曲げたものであって、この切断された金属棒の端部が互いに向かい合う端部間に隙間Ｓが形成されている。カメラ１の吊り金具１ａに取り付ける際には、隙間Ｓを広げて装着したりしており、隙間Ｓが必要以上に広がることがあり、連結金具３の隙間Ｓからカメラ１が落下することが希に発生していた。
【０００５】
また、カメラの高性能化に伴ってカメラの重量が増す傾向にあり、カメラの重量により連結金具３の隙間Ｓが広がったりすることがあって、隙間Ｓからストラップが抜けてカメラ１が落ちる等の不都合が希に発生していた。さらには、カメラの重量が相俟って、撮影時にストラップの細巾紐が絡み付いたり、或いは連結金具３の端部の金属棒の切断面による引っ掛け絡み切れを生じ易かった。
【０００６】
本発明は、上述のような課題に鑑みなされたものであって、連結金具によるストラップの細巾紐が損傷を受けて切断したり、ストラップの引っ掛け絡み切れやカメラのストラップからの落下を防止し得るカメラストラップ用連結金具及びカメラストラップを提供することを目的とするものである。
【０００７】
【課題を解決するための手段】
本発明は、上記課題を達成したものであって、請求項１の発明は、カメラを吊り下げるストラップの両端に取り付けられたストラップ用連結金具において、
該連結金具が金属棒によるＤ字状又は三角形状環状部が形成され、該金属棒の互いに向き合う端部の軸芯にコイル状のスプリング部材が挿通されたことを特徴とするカメラストラップ用連結金具である。
【０００８】
請求項１の発明では、Ｄ字状又は三角形状環状部を有する連結金具の切断された端部が互いに向かい合う端部の軸芯にコイル状のスプリング部材が挿通されており、端部間の隙間がスプリング部材で覆われているので、ストラップの細巾紐がスプリング部材により連結金具の端部切断部に接触することがなく、また、スプリング部材によるベアリング効果によりストラップの細巾紐と連結金具とが直接接触することがなく、金属棒の端部の切断部によりストラップの細巾紐が切断されるのを解消し得る作用を有する。
【０００９】
また、請求項２の発明は、前記Ｄ字状又は三角形状環状部を形成する金属棒を８の字状に交差させて環状連結部を設けたことを特徴とする請求項１に記載のカメラ用ストラップである。
【００１０】
請求項２の発明では、連結金具にＤ字状又は三角形状環状部が形成され、かつ金属棒を交差させて、カメラ吊り金具を装着する環状連結部を形成したものであり、環状連結部の弾力性によって、金属棒が切断された端部を広げながらスプリング部材を軸芯に挿通することができ、連結金具の隙間を広げた後、金属棒自体の弾力性により元の状態に復帰するので、カメラの吊り金具に連結金具を装着する際の装着作業が容易となり、また、連結金具の隙間を狭くすることも可能である。また、ストラップの細巾紐がスプリング部材によるベアリング効果によって、ストラップの細巾紐の滑りが良くなり、細巾紐と連結金具とが直接接触するのを回避することができる作用がある。
【００１１】
また、請求項３の発明は、請求項１又は２に記載のカメラ用ストラップ連結金具をカメラストラップの細巾紐に設けたことを特徴とするカメラストラップである。
【００１２】
請求項３の発明では、請求項１又は２に記載のカメラ用ストラップ連結金具がストラップの細巾紐に設けられたものであり、この連結金具にはスプリング部材が設けられおり、ストラップの細巾紐がスプリング部材のベアリング効果によって、細巾紐と連結金具とが直接接触されるのを回避して摩擦を少なくすることができ、連結金具を構成する金属棒の端部間の隙間に細巾紐が引っ掛け絡み切れを生じるのを回避することができ、カメラストラップが隙間から外れたり、切断したりして、カメラが不用意に落下するのを回避することができる作用を有する。
【００１３】
【発明の実施の形態】
以下、本発明に係るカメラストラップ用連結金具及びカメラストラップについて、図面を参照して説明する。
【００１４】
図１（ａ）は本発明の実施形態を示す概略図であり、同図（ａ），（ｂ）は本実施形態の連結金具の一形態を示す図である。同図において、カメラ１の吊り金具１ａにカメラストラップ１０が取り付けられている。カメラストラップ１０は、細巾紐１２の両端にカメラ１の吊り金具１ａに接続される連結金具２０が設けられており、細巾紐１２には滑り止め部１１が設けられ、それらの両端部が連結金具３の環状部分に挿通されて止め輪１３、締め具１４に挿通され、細巾紐１２の長さが自在に調整し得るようになされている。連結金具２０は、同図（ｂ），（ｃ）に示すＤ字状連結金具２０と三角形状連結金具４０との何れかが使用される。
【００１５】
Ｄ字状連結金具２０は、同図（ｂ）に示したように、切断された金属棒をＤ字状に折り曲げ成形したものであり、金属棒の端部２１，２２が互いに向かい合って、端部２１，２２間に隙間Ｓが形成されており、端部２１，２２の軸芯にコイル状のスプリング部材３０が挿通されている。隙間Ｓはカメラ１の吊り金具１ａに挿通するのを容易とするために設けられ、この隙間Ｓからスプリング部材３０が挿通される。スプリング部材３０は圧縮スプリングであり、スプリング部材３０を隙間Ｓから挿通して圧縮し、圧縮力を緩めることにより端部２１，２２の軸芯に挿通され、隙間Ｓはスプリング部材３０で覆われる。
【００１６】
また、連結金具の形状は、同図（ｃ）に示したように、三角形状であってもよい。三角形状連結金具４０は、切断された金属棒を三角形状に折り曲げたものであり、同図（ｂ）と同様に、その端部４１，４２の軸芯にはスプリング部材３０が挿通されている。
【００１７】
カメラストラップ１０の細巾紐１２は、Ｄ字状連結金具２０又は三角形状連結金具４０に挿通されて、スプリング部材３０に掛け渡され、細巾紐１２の端部を止め輪１３、締め具１４に挿通して細巾紐１２同士の摩擦力により固定され、細巾紐１２の長さの調節を行うことができる。
【００１８】
図１に示した本実施形態の連結金具では、連結金具の互いに向かい合う端部間の隙間がスプリング部材で覆われるために、金属棒の端部切断面にストラップの細巾紐が引っ掛かって、切れたりすることがなく、スプリング部材のベアリング効果によって、細巾紐が金属棒に強く接触することがなく、細巾紐の切断の危険性が回避できる。
【００１９】
次に、本発明の他の実施形態について、図２（ａ），（ｂ）を参照して説明する。本実施形態の連結金具は、図１のカメラストラップ１０の連結金具として利用することができる。図２（ａ）の連結金具５０は、切断された金属棒を８の字状に交差した形状であり、カメラ１の吊り金具１ａが挿通される環状連結部５０ａが形成され、金属棒を交差させてＤ字状環状部５０ｂが形成されている。金属棒が互いに向かい合う端部５１，５２の軸芯には、スプリング部材３０が挿通されている。また、図２（ｂ）の連結金具６０は、切断された金属棒を８の字状に交差した形状であり、カメラ１の吊り金具１ａを挿通する環状連結部６０ａが形成され、金属棒を交差させた端部側に三角形状環状部６０ｂが形成され、金属棒が互いに向かい合う端部６１，６２の軸芯にスプリング部材３０が挿通されている。
【００２０】
また、図２の８の字状の連結金具では、カメラストラップの連結金具として用いた場合、カメラストラップにカメラを吊り下げた場合、カメラの重量によって、連結金具の端部間の隙間Ｓが縮まるように作用するとともに、スプリング部材３０には連結金具による圧縮に対して反発する作用が働いて、ストラップと連結金具とが抜け落ち難くなるように作用し、カメラの落下を一層防止することができる。
【００２１】
図２の実施形態の連結金具では、カメラの吊り金具にカメラストラップを装着する際に、金属棒自体の弾力性と環状連結部５０ａ，６０ａの弾力性を利用して、連結金具の隙間Ｓを開いてカメラ吊り金具に装着することができるし、その後、スプリング部材３０を連結金具５０，６０の端部軸芯に挿通し、装着後、広がった隙間Ｓが金属棒自体の弾力性で元の状態に復帰し、その隙間Ｓはスプリング部材３０で覆われる。隙間Ｓが広がったままの状態になることがないし、多少広めに隙間Ｓを設定したとしてもスプリング部材３０により覆われるので、細巾紐が連結部材５０，６０の端部切断面により切断されることがない。
【００２２】
【発明の効果】
上記記載のように、本発明によれば、カメラストラップに用いられる連結金具にスプリング部材が備えられており、連結金具の互いに向かい合う端部の切断部がスプリング部材で覆われているので、ストラップの細巾紐が連結金具の端部と直接接触することがなく、連結金具の端部切断面によるストラップの細巾紐の引っ掛け切れを生じることがない利点がある。
【００２３】
また、本発明によれば、ストラップの細巾紐と連結金具とによる摩擦がスプリング部材のベアリング効果により軽減され、ストラップの絡み付きが解消できるとともに、スプリング部材のベアリング効果により摩擦が回避されて、細巾紐が連結金具との摩擦による切断が回避され、カメラストラップとしての安全性を一層高めることができる。
【００２４】
また、本発明によれば、連結金具が８の字状に交差した形状であり、連結金具を構成する金属棒自体の弾力性によって、連結金具をカメラの吊り金具に装着する際に、連結金具の端部の隙間を広げて装着としたとしても元の形状に復元するので、装着が容易となる利点がある。
【００２５】
また、本発明によれば、８の字状に交差した形状の連結金具をカメラストラップに用いることによって、撮影時のストラップの絡み付きを解消できる利点があるとともに、カメラの重量によって、金属棒と環状連結部とによる弾力性により、連結金具の隙間が縮まるような作用が働き、スプリング部材が圧縮されて反発する作用が働き、吊る下げられているカメラがストラップの連結金具から抜け落ちるおそれが少なくなり、安全性が一層高められる利点がある。さらに、ストラップとして、ナイロン製の編み織りした細巾紐を用いたとしても引っ掛け絡み付いて切断したりすることがないし、皮革製のストラップの場合であってもその寿命を著しく延ばすことができる利点がある。
【図面の簡単な説明】
【図１】（ａ）は本発明の一実施形態を示す概略図、（ｂ），（ｃ）は連結金具の他の実施形態を示す正面図である。
【図２】（ａ），（ｂ）は本実施形態の連結金具の例を示す正面図である。
【図３】（ａ）は従来の一例を示す概略図、（ｂ），（ｃ）は連結金具の他の例を示す正面図である。
【符号の説明】
１  カメラ
１ａ  吊り金具
１０  カメラストラップ
１１  滑る止め部
１２  細巾紐
１４  締め具
２０，４０，５０，６０  連結金具
３０  スプリング部材
５０ａ  環状連結部
５０ｂ  Ｄ字状環状部
６０ａ  環状連結部
６０ｂ  三角状連結部
Ｓ  隙間
【図１】
2004237011.tif 000003
【図２】
2004237011.tif 000004
【図３】
2004237011.tif 000005